(57)【要約】【課題】  揮発性オイルの芳香を極めて自然に拡散させて気分を癒す芳香容器及び芳香方法を提供する。【解決手段】  芳香具１１は、揮発性オイル１２を揮発させて芳香を発生させる芳香容器１３と、芳香容器１３を吊り下げるための吊り下げ糸１４と、芳香容器１３の下方に設けられる和紙１５とを備えた風鈴形状をなす。芳香容器１３は、透明なポリエチレンナフタレート樹脂により球状をなす収容容器１６と、該収容容器１６と和紙１５との間を繋ぐ浸透糸１７とを備える。容器本体２１の底部中央には、浸透糸１７を挿通させる下部挿通孔２６と、下部挿通孔２６の周縁から立設された筒部２７とを備える。筒部２７は容器本体２１の上端と同じ高さまで延設されている。浸透糸１７は、容器本体２１の底部から揮発性オイル１２の喫水線を越えて一旦上方に延設された後に垂下されており、毛細管現象に依存して揮発性オイル１２を和紙１５まで送達する。【選択図】      図１
2005263301.tif 000002
【特許請求の範囲】
【請求項１】
揮発性オイルを収容する収容容器と、揮発性オイルが浸透可能な浸透糸とを備えた芳香容器であって、
前記収容容器は、上部に開口を有する容器本体と、該容器本体の開口を密閉する蓋体とを備え、
前記容器本体又は蓋体には前記浸透糸を挿通させるための挿通孔が設けられ、
前記浸透糸は前記挿通孔を通して容器本体の内部から収容容器の外部へと導出されていることを特徴とする芳香容器。
【請求項２】
前記浸透糸の先端部に拡散部材を設け、該拡散部材は揮発性オイルが浸透可能な浸透面を備えていることを特徴とする請求項１に記載の芳香容器。
【請求項３】
前記収容容器を吊り下げるための吊り下げ部材が設けられていることを特徴とする請求項１又は請求項２に記載の芳香容器。
【請求項４】
前記挿通孔は容器本体の底部から上端部へと上下方向に延びる筒部によって構成され、該筒部の上端部には前記浸透糸を挿通させつつ係止するための係止孔が設けられていることを特徴とする請求項３に記載の芳香容器。
【請求項５】
前記筒部は容器本体の底部中央から上方に延びるように立設され、前記浸透糸は筒部の上端部から下方に延びるように垂下されていることを特徴とする請求項４に記載の芳香容器。
【請求項６】
前記容器本体をポリエチレンナフタレート樹脂により構成したことを特徴とする請求項１から請求項５のいずれか一項に記載の芳香容器。
【請求項７】
請求項３から請求項５のいずれか一項に記載の芳香容器を用いて、揮発性オイルの芳香を拡散させる芳香方法であって、
密閉状態の収容容器内に収容された揮発性オイルに前記浸透糸の一端部を浸漬させるとともに、同浸透糸の他端部を収容容器の外部に導出させた状態で放置することを特徴とする芳香方法。
【発明の詳細な説明】
【技術分野】
【０００１】
本発明は、天然アロマオイル等の揮発性オイルの芳香により気分を癒すアロマテラピー等に用いられる芳香容器及びその芳香容器を用いた芳香方法に関する。
【背景技術】
【０００２】
従来より、この種の芳香容器としては、空気との接触による酸化反応で緩慢に発熱する発熱体と、前記発熱体の発生する熱によって芳香の発生が促進されるように、この発熱体に近接して配置される、芳香性精油を含ませたシート状体とを備えた芳香器が知られている（特許文献１参照）。この芳香器では、使い捨て懐炉等の発熱体が発生する熱によって、シート状体からの芳香性精油の揮発を促進させるようになっている。
【特許文献１】特開２００３−３１０７３３号公報
【発明の開示】
【発明が解決しようとする課題】
【０００３】
ところが、前記従来の芳香器では、発熱体によってシート状体から強制的に芳香性精油を揮発させるように構成されていたことから、芳香器の近辺では極めて強い芳香を感じることができる一方で、芳香器から遠く離れた場所ではほとんど芳香を感じることができなかった。即ち、発熱体によって促進される芳香性精油の揮発では、室内や屋外の空気を掻き回して全体に行き渡らせる効果はほとんど期待できないことから、芳香器から遠く離れた場所まで芳香を送達させることは不可能であった。さらに、この芳香器では、使い捨て懐炉等の発熱体を利用していることから強い芳香を発生させることができる一方で、コストや手間がかかるうえ、発熱体の発熱反応が終了すると芳香が激減するという時間的な制約が非常に大きかった。
【０００４】
本発明は、このような従来技術に存在する問題点に着目してなされたものである。その目的とするところは、揮発性オイルの芳香を極めて自然に拡散させることにより気分を癒す効果に優れた芳香容器及び芳香方法を提供することにある。
【課題を解決するための手段】
【０００５】
上記の目的を達成するために、請求項１に記載の芳香容器の発明は、揮発性オイルを収容する収容容器と、揮発性オイルが浸透可能な浸透糸とを備えた芳香容器であって、前記収容容器は、上部に開口を有する容器本体と、該容器本体の開口を密閉する蓋体とを備え、前記容器本体又は蓋体には前記浸透糸を挿通させるための挿通孔が設けられ、前記浸透糸は前記挿通孔を通して容器本体の内部から収容容器の外部へと導出されていることを要旨とする。
【０００６】
この構成によれば、揮発性オイルが毛細管現象により浸透糸を伝って収容容器の内部から外部へと移動する。そして、収容容器の外部に移動した揮発性オイルは、浸透糸の表面で揮発して空気中に拡散される。その結果、揮発性オイルの芳香がごく自然に拡散するとともに、芳香容器周辺の風に乗って広げられ、気分を癒す作用が発揮される。
【０００７】
請求項２に記載の芳香容器の発明は、請求項１に記載の発明において、前記浸透糸の先端部に拡散部材を設け、該拡散部材は揮発性オイルが浸透可能な浸透面を備えていることを要旨とする。
【０００８】
この構成によれば、揮発性オイルが浸透糸の表面から揮発することに加えて、拡散部材の浸透面からも同時に揮発する。前記拡散部材の浸透面は、線状の浸透糸よりも空気に接する面積が顕著に大きいことから、揮発性オイルの揮発が極めて効率的に促進され、その芳香をより一層効果的に発揮させることができる。
【０００９】
請求項３に記載の芳香容器の発明は、請求項１又は請求項２に記載の発明において、前記収容容器を吊り下げるための吊り下げ部材が設けられていることを要旨とする。
この構成によれば、芳香容器は、吊り下げられることによって風の影響をより一層受けやすくなる。このとき、収容容器や浸透糸自体が風の影響で揺動することから、揮発性オイルの揮発がより一層促進される。特に、浸透糸が風下側に吹き流されやすくなることから、該浸透糸が常に風の影響を受ける状況が実現されやすい。
【００１０】
請求項４に記載の芳香容器の発明は、請求項３に記載の発明において、前記挿通孔は容器本体の底部から上端部へと上下方向に延びる筒部によって構成され、該筒部の上端部には前記浸透糸を挿通させつつ係止するための係止孔が設けられていることを要旨とする。
【００１１】
この構成によれば、容器本体内に揮発性オイルを収容する際に、該揮発性オイルが容器本体の外に零れにくくなることからその作業性が容易に向上する。さらに、浸透糸が容器本体の上端部に位置する挿通孔を経由していることから、容器本体内に揮発性オイルを収容する際に、揮発性オイルが浸透糸の表面に沿って流されて容器本体外に滴り落ちることも容易に避けられる。
【００１２】
請求項５に記載の芳香容器の発明は、請求項４に記載の発明において、前記筒部は容器本体の底部中央から上方に延びるように立設され、前記浸透糸は筒部の上端部から下方に延びるように垂下されていることを要旨とする。
【００１３】
この構成によれば、筒部が容器本体の中央に配設されていることから、吊り下げられた状態の収容容器全体の重心が安定する。さらにこのとき、浸透糸の基端部を収容容器の下端部に配置することによって、収容容器内の揮発性オイルのほとんど全てが浸透糸に浸透されて揮発するようになる。
【００１４】
請求項６に記載の芳香容器の発明は、請求項１から請求項５のいずれか一項に記載の発明において、前記容器本体をポリエチレンナフタレート樹脂により構成したことを要旨とする。
【００１５】
この構成によれば、耐油性及び耐薬品性の高いポリエチレンナフタレート樹脂を用いることによって、揮発性オイルによる容器本体の劣化や割れを抑えることが容易となる。
請求項７に記載の芳香方法の発明は、請求項３から請求項５のいずれか一項に記載の芳香容器を用いて、揮発性オイルの芳香を拡散させる芳香方法であって、密閉状態の収容容器内に収容された揮発性オイルに前記浸透糸の一端部を浸漬させるとともに、同浸透糸の他端部を収容容器の外部に導出させた状態で放置することを要旨とする。
【００１６】
この構成によれば、芳香容器は吊り下げられた状態となっていることから、風の影響を大きく受けやすい。一方、浸透糸は、収容容器内の揮発性オイルを浸透させた状態で収容容器の外部に露出している。このとき、前記収容容器の外部に露出している浸透糸は、放置状態であっても風が当たってその表面から揮発性オイルを揮発させる。この浸透糸から揮発した揮発性オイルの芳香は、そのまま風に乗って拡散される。前記風は、室内や屋外の空気を大きくかき混ぜる作用を有していることから、遠く離れた場所でも十分な芳香が感じられる。
【発明の効果】
【００１７】
本発明によれば、揮発性オイルの芳香を極めて自然に拡散させることにより気分を癒す効果に優れた芳香容器及び芳香方法を提供することができる。
【発明を実施するための最良の形態】
【００１８】
以下、本発明を具体化した実施形態を図面に基づいて詳細に説明する。
図１（ａ）、（ｂ）に示すように、実施形態の芳香具１１は、天然アロマオイル等の揮発性オイル１２を揮発させて芳香を発生させる芳香容器１３と、該芳香容器１３を天井等の上方から吊り下げるための吊り下げ部材としての吊り下げ糸１４と、前記芳香容器１３の下方に設けられる拡散部材としての和紙１５とを備えている。前記芳香容器１３は、球状をなす収容容器１６と、該収容容器１６と和紙１５との間を上下に繋ぐ浸透糸１７とを備えている。この芳香具１１は、全体として風鈴形状に形成されており、揮発性オイル１２に起因する心地よく自然な芳香を発生させつつ、風鈴独特の涼感を醸し出すようになっており、気分を癒す効果に優れている。
【００１９】
収容容器１６は、上部に開口を有する容器本体２１と、該容器本体２１の開口を密閉する蓋体２２とにより内部が中空の球状に形成されている。
図２（ａ）、（ｂ）に示すように、容器本体２１は、無色透明のポリエチレンナフタレート（ＰＥＮ）樹脂により略有底無蓋筒状（椀状）に形成されており、その内部には揮発性オイル１２を収容するための収容空間が設けられている。この容器本体２１の底部中央には、挿通孔を構成する下部挿通孔２６が円孔状に貫設されているうえ、該下部挿通孔２６の周縁には上下方向に延びる円筒状をなす筒部２７が立設されている。この筒部２７は、前記下部挿通孔２６とともに浸透糸１７を挿通させるための挿通孔を構成している。この筒部２７は、下方ほど内径が拡がるテーパ形状に形成されており、浸透糸１７が振り子状に揺動するのを許容するようになっている。また、本実施形態の筒部２７は、容器本体２１の上端と同じ高さまで延設されており、収容空間内の揮発性オイル１２が筒部２７内に容易に浸入しない構造になっている。筒部２７の上面中央部には、窪み２８が平面円形状に凹設されている。
【００２０】
容器本体２１の上端部には、蓋体２２を着脱可能に接合させるための接合手段を構成する第１螺合部２９が設けられている。この第１螺合部２９は、容器本体２１の上端部外側面を水平方向に延びる帯状に凹設させた第１溝部２９ａと、該第１溝部２９ａの外周面に螺旋状をなすように突設された第１突条２９ｂとを備えており、雄ネジとしての機能を有している。本実施形態の第１突条２９ｂは、密閉性を高めるために第１溝部２９ａの外周面上を１周半以上（本実施形態ではほぼ２周）巻回するように螺刻されている。
【００２１】
図３に示すように、蓋体２２は、無色透明のポリエチレンナフタレート樹脂により有蓋無底筒状（ドーム状）に形成されている。この蓋体２２の上端部外面には、前記吊り下げ糸１４を結びつけるための取り付け孔３１が設けられている。蓋体２２の下端部には、容器本体２１の上端部と接合するための接合手段を構成する第２螺合部３２が設けられている。この第２螺合部３２は、前記第１螺合部２９に対して螺進及び螺退する雌ネジとしての機能を有している。この第２螺合部３２は、蓋体２２の下端部内側面を水平方向に延びる帯状に凹設させた第２溝部３２ａと、該第２溝部３２ａの内周面に螺旋状をなすように突設された第２突条３２ｂとを備えている。本実施形態の第２突条３２ｂは、密閉性を高めるために第２溝部３２ａの内周面上を１周半以上（本実施形態ではほぼ２周）巻回するように螺刻されている。
【００２２】
図１（ｂ）に示すように、容器本体２１と蓋体２２とを螺着させたときには、第１螺合部２９は収容容器１６の内側に配置され、第２螺合部３２は第１螺合部２９よりも収容容器１６の外側に配置されている。このため、この収容容器１６では、揮発性オイル１２の収容空間である容器本体２１内部の容積が収容容器１６の全容積の過半を占めるようになっていることから、揮発性オイル１２を多量に収容することができる。さらに、この収容容器１６では、容器本体２１の外周部上端縁（第１螺合部２９の上端）が収容容器１６の中央高さよりも高い位置に配設されていることから、収容容器１６が風で揺動された場合でも揮発性オイル１２の喫水線が第１螺合部２９の上端にかかる可能性が小さくなっている。
【００２３】
図１（ｂ）に示すように、容器本体２１と蓋体２２とを螺合関係により接合させたとき、第１突条２９ｂの外周面（先端面）は第２溝部３２ａの内周面と当接可能な位置に配置され、第２突条３２ｂの外周面（先端面）は第１溝部２９ａの内周面と当接可能な位置に配置されている。さらにこのとき、第１突条２９ｂの上下端面は第２突条３２ｂの上下端面とそれぞれ当接可能な位置に配置されている。このため、螺合関係により接合された状態の容器本体２１及び蓋体２２からなる収容容器１６は、密閉状態となっている。
【００２４】
前記密閉状態とは、収容容器１６内に揮発性オイル１２が収容された状態で容器本体２１と蓋体２２との接合部から揮発性オイル１２が漏出しないことを意味し、容器本体２１と蓋体２２との接合部の外面に吸水性の高い布帛等を押し当てた場合でも該布帛等が発揮する毛細管現象によっても揮発性オイル１２が布帛等に浸み出さないことを意味する。またこのとき、前記接合部は、空気の流通が規制されていても許容されていても構わないが、収容容器１６内の揮発性オイル１２の酸化が効果的に防止されることから空気の流通が規制されているのが好ましい。
【００２５】
また、図１（ｂ）及び図４（ａ）、（ｂ）に示すように、前記筒部２７の上端部には、ゴム、シリコーン、熱可塑性エラストマー等の弾性材料により略円環状に形成された係止部材３６が装着されている。この係止部材３６は、円環状をなす環状部３６ａを備えている。環状部３６ａの中央には、前記浸透糸１７を挿通するための挿通孔を構成する係止孔３６ｂが円孔状に形成されている。さらに、この環状部３６ａの下面中央部には、前記筒部２７の上端部に形成された窪み２８内に係脱可能に嵌入される嵌入凸部３６ｃが突設されている。
【００２６】
前記係止孔３６ｂは、浸透糸１７の外径と同等又はそれ以下の孔径に形成されている。さらに、この係止孔３６ｂの周縁に位置する環状部３６ａの中央部上面及び嵌入凸部３６ｃの中央部下面はいずれもテーパ状をなし、係止孔３６ｂに近接するほど係止部材３６の上下の厚みが薄くなるように形成されている。この構成により、係止孔３６ｂは、収容容器１６内の揮発性オイル１２が外部に漏れ出すのを効果的に防止するとともに、浸透糸１７の抜止め防止作用も果たすようになっている。なお、本実施形態の浸透糸１７は、前記係止孔３６ｂ内に上下方向に延びるように挿通された状態で、該係止孔３６ｂの上部に結び目１７ａを当接させることにより、収容容器１６内から確実に抜止め係止されている。
【００２７】
即ち、本実施形態の芳香容器１３では、係止部材３６の嵌入凸部３６ｃが窪み２８内に密閉状態となるように嵌入されているうえ、係止孔３６ｂと浸透糸１７との間も密着していることから密閉状態となっている。さらに、筒部２７の上端部に設けられた係止部材３６の上端面は、容器本体２１の外周部上端縁よりも高い位置に配置されており、容器本体２１内の揮発性オイル１２が係止孔３６ｂ内に浸入しにくくなっている。なお、前記係止孔３６ｂと浸透糸１７との間の密閉状態とは、収容容器１６内に揮発性オイル１２が収容された状態で、係止部材３６と浸透糸１７との接触部分から揮発性オイル１２が漏出しないことを意味する。またこのとき、前記接触部分では、空気の流通が規制されていても許容されていても構わないが、収容容器１６内の揮発性オイル１２の酸化が効果的に防止されることから、空気の流通が規制されているのが好ましい。
【００２８】
前記揮発性オイル１２は、天然物から抽出・精製された液体状の芳香性精油からなり、常温・常圧で液状をなすとともに揮発性を有し、心地よい芳香を発生させる。この揮発性オイル１２は、水と混合した後に静置したとき、水を含む水相と、揮発性オイル１２を含む油相とが明確に相分離する性質を有している。また、前記浸透糸１７は、毛細管現象により前記揮発性オイル１２を浸透させる糸から構成されており、親油性の糸から構成されているのが好ましい。
【００２９】
図１（ａ）に示すように、和紙１５は、前記浸透糸１７と同様に毛細管現象により揮発性オイル１２を浸透させる。この和紙１５の前後両面は、いずれも浸透面１５ａとなっており、揮発性オイル１２の揮発を容易に促進させる。この和紙１５の上端部中央には、浸透糸１７を結びつけるための円孔１５ｂが設けられている。そして、前記浸透糸１７に浸透した揮発性オイル１２は、前記円孔１５ｂ近辺における浸透糸１７と和紙１５との接触部分（結び目）を伝って和紙１５全体に浸透・拡散するようになっている。
【００３０】
次に、前記芳香具１１の作用について以下に記載する。
この芳香具１１は、収容容器１６内に揮発性オイル１２を収容した状態で使用される。収容容器１６内に揮発性オイル１２を補充する際には、蓋体２２から分離した状態の容器本体２１内の収容空間に揮発性オイル１２を充填した後、該容器本体２１の第１螺合部２９と蓋体２２の第２螺合部３２とを螺着させることによって実施される。このとき、図１（ｂ）に示されるように、第１突条２９ｂの外周面と第２溝部３２ａの内周面とが当接可能な位置に配置され、第２突条３２ｂの外周面と第１溝部２９ａの内周面とが当接可能な位置に配置され、さらに第１突条２９ｂの上下端面と第２突条３２ｂの上下端面とがそれぞれ当接可能な位置に配置されている。その結果、容器本体２１と蓋体２２との接合部が密閉状態となっている。
【００３１】
さらにこのとき、係止部材３６の嵌入凸部３６ｃが窪み２８内に密閉状態となるように嵌入されているうえ、係止孔３６ｂと浸透糸１７との間も密閉状態となるように密着している。さらに、筒部２７の上端部に設けられた係止部材３６の上端面は、容器本体２１の外周部上端縁よりも高い位置に配置されていることから、収容容器１６が左右に揺れた場合でも、容器本体２１内の揮発性オイル１２が係止孔３６ｂへと浸入しにくくなっている。従って、この収容容器１６内の揮発性オイル１２は、収容容器１６の外部に滴り落ちることはない。また、前記収容容器１６内の揮発性オイル１２は、外部の空気と接触する機会が極めて少なく、酸化反応が抑えられていて長期間良好な芳香が持続するようになっている。
【００３２】
さて、この使用状態の芳香具１１において、浸透糸１７は、基端部が容器本体２１の底部に配置されるとともに、中央部が係止孔３６ｂ、筒部２７の内部及び下部挿通孔２６から構成される挿通孔内に挿通され、さらに先端部が収容容器１６の下方に垂下されつつ和紙１５の上端部に結びつけられている。この浸透糸１７は、容器本体２１の収容空間内に収容されている揮発性オイル１２を毛細管現象により先端部へと継続的に浸透させつつ和紙１５へと送達する。その結果、収容容器１６の外部に露出している浸透糸１７の先端部及び和紙１５の浸透面１５ａから揮発性オイル１２が揮発して芳香具１１の周辺に心地よい芳香を発生させる。
【００３３】
なおこのとき、前記浸透糸１７は、容器本体２１の底部から揮発性オイル１２の喫水線を越えて一旦上方に延設された後に筒部２７の上端部から垂下されていることから、前記喫水線と筒部２７上端部との間は毛細管現象のみに依存して揮発性オイル１２を送達するようになっている。その結果、前記揮発性オイル１２は、浸透糸１７を伝って収容容器１６の外部に送達される際には、上述のような上方に向かう毛細管現象が障壁となって短時間で大量に移動することがなく、例えば和紙１５の下端から揮発性オイル１２の液滴が滴り落ちるようなおそれはない。
【００３４】
一方、前記浸透糸１７の中央部は、下方ほど拡径された筒部２７内に挿通されており、収容容器１６の外面（筒部２７の内側面）に接触することも付着することも大幅に抑制されている。このため、浸透糸１７を伝って浸透しながら移動する揮発性オイル１２は、前記収容容器１６の外面をショートカットするような不適切な流れを形成しにくくなっており、収容容器１６の下端部外面から揮発性オイル１２の液滴が滴り落ちることがない。また、この浸透糸１７には、瘤状の突出部や折れ曲がった箇所等の揮発性オイル１２の液滴が形成されやすい基点が存在していないことから、揮発性オイル１２の液滴が床や地面に落下するおそれはない。
【００３５】
また、この芳香具１１は、吊り下げ糸１４によって室内又は屋外の比較的高い位置に吊り下げられていることから、風の影響を大きく受けやすい。和紙１５に風が当たった場合には、係止部材３６の係止孔３６ｂを中心に浸透糸１７及び和紙１５が振り子状に揺動する。このとき、浸透糸１７及び和紙１５に当たった風がそれらの表面から揮発性オイル１２の揮発を促進させて室内又は屋外に心地よい芳香を振りまく。そして、前記風は、周辺の空気を大きくかき混ぜながら揮発性オイル１２の芳香を広く拡散させる。
【００３６】
特に、室内に微風がそよいでいるような場合には、該微風は、室内の空気をゆったりとかつ大きくかき混ぜながら揮発性オイル１２の芳香を自然にかつ柔らかく拡散させ、人の気分を癒す効果を発揮する。この場合の芳香は、微風と一緒に人の鼻腔内を優しく刺激してリラックスさせる効果に優れている。さらに、この芳香具１１は、風鈴形状をなしていることから、視覚的にも涼感を醸し出して気分を癒す効果が増強される。
【００３７】
前記実施形態によって発揮される効果について、以下に記載する。
・  実施形態の芳香容器１３は、揮発性オイル１２を収容する収容容器１６と、揮発性オイル１２が浸透可能な浸透糸１７とを備えている。さらに、前記浸透糸１７は、基端部が収容容器１６内の揮発性オイル１２に浸漬され、先端部は収容容器１６の外部に導出されている。このため、この芳香容器１３では、収容容器１６内の揮発性オイル１２が毛細管現象により浸透糸１７を伝って収容容器１６の外部へと徐々に移動し、そこで揮発して空気中に拡散されることから、揮発性オイル１２の芳香によって気分を癒す効果を発揮する。特に、この芳香容器１３では、揮発性オイル１２が人為的に加熱されることがないため、不自然な加熱臭等を発生させない点が優れている。
【００３８】
・  収容容器１６は、上端部が大きく開口された容器本体２１と、該容器本体２１の開口を密閉する蓋体２２とによって上下に２分割されていることから、収容容器１６内に揮発性オイル１２を収容する作業が容易である。さらに、容器本体２１と蓋体２２とは互いに螺合関係により螺着されるとともに、螺着状態で収容容器１６内が密閉状態となることから、揮発性オイル１２の漏れ出しを効果的に防止することができるうえ、収容容器１６内の揮発性オイル１２が酸化されにくい。
【００３９】
・  容器本体２１の底部には、容器本体２１の上端部まで到達する筒部２７が立設されていることから、容器本体２１内に揮発性オイル１２を収容する際に、該揮発性オイル１２が挿通孔を構成する係止孔３６ｂを通って容器本体２１の外に零れにくくなる。さらにこのとき、浸透糸１７が筒部２７の上端部に係止されていることから、容器本体２１内に揮発性オイル１２を収容する際に、揮発性オイル１２が浸透糸１７の表面に沿って流されて容器本体２１外に滴り落ちることもない。
【００４０】
・  実施形態の芳香容器１３は、風鈴形状をなしていることから、視覚的に涼感を与えて気分を癒す効果が発揮される。さらに、この芳香容器１３は、風に揺られて和やかな雰囲気を醸し出すとともに、揮発性オイル１２の心地よい芳香を風に乗せながら拡散させることから、極めて高い癒し効果を発揮する。
【００４１】
・  収容容器１６は、耐油性及び耐薬品性が高いポリエチレンナフタレート樹脂により構成されていることから、揮発性オイル１２による劣化や割れの発生が極めて少なく、長期に渡って良好な視覚的癒し効果を発揮することができる。さらに、この収容容器１６は、球状に形成されていることから、揮発性オイル１２が自動的に容器本体２１の底部に溜まるようになっており、揮発性オイル１２を最後まで継続的に揮発させて使い切ることが著しく容易である。
【００４２】
・  収容容器１６が無色透明であることから、良好な涼感が醸し出されて癒し効果が容易に高められるとともに、ポリエチレンナフタレート樹脂及び揮発性オイル１２自体が高い屈折率を有していることから視覚的にも良好である。さらにこのとき、球状をなす収容容器１６には凹凸が少ないことから、ポリエチレンナフタレート樹脂を用いた成形品における最大の難点である不透明領域を極力減らすことができ、クリアーな質感及び涼感を付与することが容易となる。
【００４３】
なお、本実施形態は、次のように変更して具体化することも可能である。
・  図５（ａ）に示すように、筒部２７を省略するとともに、容器本体２１内を左右に分割して第１及び第２分割室４１，４２に分け、第１分割室４１内に揮発性オイル１２を収容し、第２分割室４２内には揮発性オイル１２を収容しないように構成すること。さらに、第２分割室４２の中央部又は下部（下端部でない方がよい）に下部挿通孔２６を貫設するとともに、該下部挿通孔２６の内面に係止部材３６を嵌着させ、さらに該係止部材３６の係止孔３６ｂ内に浸透糸１７を挿入係止させること。このように構成した場合でも、上記実施形態と同様の効果が発揮され得る。また、この芳香容器１３では、係止部材３６が設けられている第２分割室４２内に揮発性オイル１２が収容されていないことから、収容容器１６の外部に揮発性オイル１２が漏れ出すおそれはほとんどない。さらにこのとき、浸透糸１７が揮発性オイル１２の喫水線を超えて一旦上方に向かって延設されていることから、和紙１５の下端等から揮発性オイル１２の液滴が滴り落ちるおそれもない。
【００４４】
・  図５（ｂ）に示すように、容器本体２１に下部挿通孔２６及び筒部２７を設けないこと。このとき、挿通孔４３（実施形態の下部挿通孔２６に相当）及び係止部材３６は蓋体２２に設けられる。このように構成した場合でも、上記実施形態と同様の効果が発揮され得る。また、この芳香容器１３では、容器本体２１に下部挿通孔２６が設けられていないことから、収容容器１６の外部に揮発性オイル１２が漏れ出すおそれはほとんどない。さらにこのとき、浸透糸１７が揮発性オイル１２の喫水線を超えて一旦上方に向かって延設されていることから、和紙１５の下端等から揮発性オイル１２の液滴が滴り落ちるおそれもない。なおこのとき、収容容器１６外の浸透糸１７は、該収容容器１６の外面に接触しないように配置されているのが好ましく、この場合には収容容器１６の外面を伝って揮発性オイル１２の液滴が滴り落ちるおそれがなくなる。
【００４５】
・  図６に示すように、収容容器４６の外面形状を八面体状に形成してもよい。また、収容容器１６の外面形状を、例えば四面体状、直方体状、立方体状、六面体状、十二面体状、二十面体状等の多面体状や楕円球状等の任意の形状に形成してもよい。
【００４６】
・  収容容器１６を吊り下げ糸１４によって吊り下げないように構成してもよい。このとき、この収容容器１６の容器本体２１は、例えば机上に載置されるとともに、浸透糸１７が収容容器１６の上方又は側方に延設されるように構成されている。このように構成した場合でも、浸透糸１７が風の影響を比較的受けやすい位置（収容容器１６の外部に孤立）に配置されることから、揮発性オイル１２の芳香を自然に拡散させる効果に優れている。
【００４７】
・  和紙１５を省略してもよい。このように構成した場合でも、浸透糸１７の表面から揮発性オイル１２が拡散することから気分を癒す効果に優れている。
・  和紙１５の代わりに、織布、編布、不織布、スポンジ、紙等を拡散部材として用いてもよい。また、糸、好ましくは浸透糸１７を複数本束ねたものを拡散部材として用いてもよい。
【００４８】
・  拡散部材としては、例えば揮発性オイル１２を浸透しないプラスチックや金属からなる板片やブロックの表面に、和紙、織布、編布、不織布、スポンジ、紙、複数本束ねた糸等を添着又は貼着させたものであってもよい。なおこのとき、前記和紙、織布、編布、不織布、スポンジ、紙、複数本束ねた糸の表面が浸透面となる。
【００４９】
・  容器本体２１は、ポリエチレンナフタレート樹脂以外にも、他の樹脂、ガラス、陶器、磁器又は金属（例えばステンレス鋼）によって構成されていてもよい。
・  容器本体２１及び／又は蓋体２２は、有色透明、半透明又は不透明な材料のいずれの材料により構成されていても構わない。なお、有色透明又は半透明な材料により構成されている場合には、芳香具１１内の揮発性オイル１２が間接的に目視され、独特の美観を呈することができる。
【００５０】
・  第１及び第２螺合部２９，３２は、上記実施形態の構成に限定されることなく、任意の螺合関係又は嵌合関係によって構築されていてもよい。
・  筒部２７の上端は容器本体２１の上端と同等又は高い位置に配設されているのが好ましいが、低い位置に配設されていても構わない。
【００５１】
・  筒部２７は上下方向に延設されている必要はなく、斜め方向に延設されていても構わない。
・  収容容器１６の容器本体２１は、２個以上の部材を組合せることによって構成されていても構わない。また、収容容器１６の蓋体２２は、２個以上の部材を組合せることによって構成されていても構わない。
【００５２】
さらに、前記実施形態より把握できる技術的思想について以下に記載する。
・  風鈴形状に形成されていることを特徴とする請求項３から請求項５のいずれか一項に記載の芳香容器。このように構成した場合、揮発性オイルの芳香による臭覚的な癒し効果に加えて、風鈴が醸し出す視覚的な癒し効果も良好に発揮することができる。
【００５３】
・  前記容器本体と蓋体とは螺合関係により接合されていることを特徴とする請求項１から請求項６のいずれか一項に記載の芳香容器。
・  前記浸透糸の一端部は容器本体内に配置され、同浸透糸の他端部又は中央部は容器本体の上端を超える高さに配置されていることを特徴とする請求項１から請求項６のいずれか一項に記載の芳香容器。
【００５４】
・  前記収容容器は無色透明又は有色透明であることを特徴とする請求項１から請求項６のいずれか一項に記載の芳香容器。このように構成した場合、収容容器そのものが涼やかな気分を演出する効果を発揮する。特に、光の屈折率が高い揮発性オイルが収容容器外から目視され、意匠性が著しく高められる。
【図面の簡単な説明】
【００５５】
【図１】（ａ）は実施形態の芳香具を示す斜視図、（ｂ）は図１（ａ）の１ｂ−１ｂ線から見た芳香具を示す断面図。
【図２】（ａ）は実施形態の容器本体を示す正面図、（ｂ）は同じく容器本体の断面図。
【図３】実施形態の蓋体を示す断面図。
【図４】（ａ）は実施形態の係止部材を示す正面図、（ｂ）は同じく係止部材の断面図。
【図５】（ａ）及び（ｂ）はいずれも、実施形態以外の芳香具を示す断面図。
【図６】実施形態以外の芳香具を示す斜視図。
【符号の説明】
【００５６】
１２…揮発性オイル、１３…芳香容器、１４…吊り下げ部材としての吊り下げ糸、１５…拡散部材としての和紙、１５ａ…浸透面、１６…収容容器、１７…浸透糸、２１…容器本体、２２…蓋体、２６…挿通孔を構成する下部挿通孔、２７…筒部、３６ｂ…係止孔、４３…挿通孔、４６…収容容器。
【図１】
2005263301.tif 000003
【図２】
2005263301.tif 000004
【図３】
2005263301.tif 000005
【図４】
2005263301.tif 000006
【図５】
2005263301.tif 000007
【図６】
2005263301.tif 000008